(57)【要約】【課題】押ボタンの取付けを確実、かつ、安全に行うことができ、押ボタンが外れにくい電源スイッチの押ボタン取付構造を低コストに提供する。【解決手段】電源のＯＮ／ＯＦＦ操作時に押動される押ボタン１０と、押ボタン１０の背面中央にシャフト２４が嵌合される角筒状の嵌合筒１３を一体に形成し、嵌合筒１３の両側壁に切れ目１４、１５を設けて嵌合筒１３に弾力性を持たせるとともに、嵌合筒１３の上壁１３ａ及び下壁１３ｄの内面に溝２４ｂに係合されるフック部１６、１７を設け、シャフト２４を嵌合筒１３に圧入して嵌合させることにより、嵌合筒１３の上壁１３ａ及び下壁１３ｄによりシャフト２４が挟持されるとともに、フック部１６、１７が溝２４ｂに係合される。【選択図】図６
0003128817.tif 000002
【実用新案登録請求の範囲】
【請求項１】
スイッチ本体と、
該スイッチ本体に進退自在に設けられ、周囲に溝が形成された角棒状のシャフトと、を有する電源スイッチの押ボタン取付構造において、
電源のＯＮ／ＯＦＦ操作時に押動される押ボタンと、
該押ボタンの背面中央に前記シャフトが嵌合される角筒状の嵌合筒を一体に形成し、
前記嵌合筒の両側壁に切れ目を設けて前記嵌合筒に弾力性を持たせるとともに、前記嵌合筒の上壁及び下壁の内面に前記溝に係合されるフック部を設け、
前記嵌合筒の上壁及び下壁の肉厚が先端に向かうに従って細くなるように該上壁及び下壁の内面を斜面に形成するとともに、前記フック部を、前記シャフトの圧入時に前記溝に当接する面が緩勾配を有し、前記シャフトの引抜き時に前記溝に当接する面が急勾配を有するような曲面に形成し、
前記シャフトを前記嵌合筒に圧入して嵌合させることにより、前記嵌合筒の上壁及び下壁により前記シャフトが挟持されるとともに、前記フック部が前記溝に係合されることを特徴とする電源スイッチの押ボタン取付構造。
【請求項２】
スイッチ本体と、
該スイッチ本体に進退自在に設けられ、周囲に溝が形成された角棒状のシャフトと、を有する電源スイッチの押ボタン取付構造であって、
電源のＯＮ／ＯＦＦ操作時に押動される押ボタンと、
該押ボタンの背面中央に前記シャフトが嵌合される角筒状の嵌合筒を一体に形成し、
前記嵌合筒の両側壁に切れ目を設けて前記嵌合筒に弾力性を持たせるとともに、前記嵌合筒の上壁及び下壁の内面に前記溝に係合されるフック部を設け、
前記シャフトを前記嵌合筒に圧入して嵌合させることにより、前記嵌合筒の上壁及び下壁により前記シャフトが挟持されるとともに、前記フック部が前記溝に係合されることを特徴とする電源スイッチの押ボタン取付構造。
【請求項３】
前記嵌合筒の上壁及び下壁の肉厚が先端に向かうに従って細くなるように該上壁及び下壁の内面を斜面に形成したことを特徴とする請求項２に記載の電源スイッチの押ボタン取付構造。
【請求項４】
前記フック部を、前記シャフトの圧入時に前記溝に当接する面が緩勾配を有し、前記シャフトの引抜き時に前記溝に当接する面が急勾配を有するような曲面に形成したことを特徴とする請求項２又は３に記載の電源スイッチの押ボタン取付構造。
【考案の詳細な説明】
【技術分野】
【０００１】
本考案は、電源のＯＮ／ＯＦＦ操作を行う押ボタンの電源スイッチへの取付構造に関するものであり、特に、電子機器のキャビネット内から外側に突出するなどして配置される押ボタンの取付構造に関するものである。
【背景技術】
【０００２】
従来、電源スイッチのシャフトが挿入される押ボタンと、電源スイッチとの間に係合機構を設けて押ボタンをシャフトに対して強固に取付けるようにした電源スイッチ装置が提案されている。
【０００３】
例えば、特許文献１には、押ボタンのベースとなる基部の後部に電源スイッチの嵌合凸部（シャフト）が挿入される角筒状の嵌合凹部を一体に設け、この嵌合凹部の後部一端に電源スイッチの本体に一体に設けられた係合突起と係合する孔を有する係合部を一体に設けたものが開示されている。
【０００４】
また、特許文献２は、軟質合成樹脂の弾性材から成るキャップ（押ボタン）の開口部に内側に突出するつば部（フック部）を一体に設け、電源スイッチの軸部（シャフト）の一端部につば部が係合する溝を設けたものが開示されている。この構成で、キャップのつば部をシャフトの先端に押し当て、キャップを軸方向に強く押し込むと、キャップのつば部が押し広がり、さらにキャップを押し込むことにより、キャップのつば部がシャフトの溝に係合する。
【０００５】
また、特許文献３には、キャップ（押ボタン）の内部に取付けられるツマミ本体の中央の背面に形成した嵌合筒にツマミ装置（電源スイッチ）のシャフトを連結するものが開示されている。ツマミ本体の２箇所には、キャップの内側の２箇所に凸設されたガイド棒と係合される切欠部が設けられ、この切欠部にキャップのガイド棒を挿通するようにして嵌入し、ガイド棒の先端に止め輪を圧入することによりツマミ本体がキャップ内において移動可能となるように取付けられている。
【特許文献１】特開２００６−１５６２０１号公報（段落、図５参照）
【特許文献２】実開昭５８−３４２４３号のマイクロフィルム（第３図参照）
【特許文献３】実開昭６１−１８８２２３号公報（第１図参照）
【考案の開示】
【考案が解決しようとする課題】
【０００６】
しかしながら、特許文献１では、嵌合凹部に設けた係合部の孔とスイッチ本体に設けた係合突起とによる１箇所での係合であるため、押ボタンが引抜かれる方向に外力が加わった場合に係合が外れやすいという問題がある。
【０００７】
また、特許文献２では、キャップのつば部を軸部の先端に押しつけ、キャップを弾性変形させながらつば部を軸部の溝部に係合させて取付けるものであるため、キャップの取付けに大きな力が必要であるばかりでなく、キャップに過剰な付加が掛かって破損する危険性がある。
【０００８】
また、特許文献３では、ツマミ本体をキャップとは別部材で構成しているため、部品点数が増加し、コスト高となる問題がある。
【０００９】
本考案は、このような従来の問題に鑑みてなされたものであり、押ボタンの取付けを確実、かつ、安全に行うことができ、押ボタンが外れにくい電源スイッチの押ボタン取付構造を低コストに提供することを目的とする。
【課題を解決するための手段】
【００１０】
上記目的を達成するために請求項１に記載された電源スイッチの押ボタン取付構造は、スイッチ本体と、該スイッチ本体に進退自在に設けられ、周囲に溝が形成された角棒状のシャフトと、を有する電源スイッチの押ボタン取付構造において、電源のＯＮ／ＯＦＦ操作時に押動される押ボタンと、該押ボタンの背面中央に前記シャフトが嵌合される角筒状の嵌合筒を一体に形成し、前記嵌合筒の両側壁に切れ目を設けて前記嵌合筒に弾力性を持たせるとともに、前記嵌合筒の上壁及び下壁の内面に前記溝に係合されるフック部を設け、前記嵌合筒の上壁及び下壁の肉厚が先端に向かうに従って細くなるように該上壁及び下壁の内面を斜面に形成するとともに、前記フック部を、前記シャフトの圧入時に前記溝に当接する面が緩勾配を有し、前記シャフトの引抜き時に前記溝に当接する面が急勾配を有するような曲面に形成し、前記シャフトを前記嵌合筒に圧入して嵌合させることにより、前記嵌合筒の上壁及び下壁により前記シャフトが挟持されるとともに、前記フック部が前記溝に係合されることを特徴としている。
【００１１】
請求項２に記載された電源スイッチの押ボタン取付構造は、スイッチ本体と、該スイッチ本体に進退自在に設けられ、周囲に溝が形成された角棒状のシャフトと、を有する電源スイッチの押ボタン取付構造であって、電源のＯＮ／ＯＦＦ操作時に押動される押ボタンと、該押ボタンの背面中央に前記シャフトが嵌合される角筒状の嵌合筒を一体に形成し、前記嵌合筒の両側壁に切れ目を設けて前記嵌合筒に弾力性を持たせるとともに、前記嵌合筒の上壁及び下壁の内面に前記溝に係合されるフック部を設け、前記シャフトを前記嵌合筒に圧入して嵌合させることにより、前記嵌合筒の上壁及び下壁により前記シャフトが挟持されるとともに、前記フック部が前記溝に係合されることを特徴としている。
【００１２】
請求項３に記載された電源スイッチの押ボタン取付構造は、請求項２に記載された電源スイッチの押ボタン取付構造において、前記嵌合筒の上壁及び下壁の肉厚が先端に向かうに従って細くなるように該上壁及び下壁の内面を斜面に形成したことを特徴としている。
【００１３】
請求項４に記載された電源スイッチの押ボタン取付構造は、請求項２又は３に記載された電源スイッチの押ボタン取付構造において、前記フック部を、前記シャフトの圧入時に前記溝に当接する面が緩勾配を有し、前記シャフトの引抜き時に前記溝に当接する面が急勾配を有するような曲面に形成したことを特徴としている。
【考案の効果】
【００１４】
請求項１に記載された電源スイッチの押ボタン取付構造によると、押ボタンの嵌合筒の上壁及び下壁により電源スイッチのシャフトが挟持されるとともに、嵌合筒のフック部がシャフトの溝に係合されるため、押ボタンの取付けを確実に行うことができる。
【００１５】
また、嵌合筒の上下方向の撓みを生じやすくなるため、押ボタンの取付け時に押ボタンが破損する危険性がなくなり、安全に取付けることができるようになる。
【００１６】
さらに、シャフトの嵌合筒への圧入は小さな力で行える反面、シャフトの引抜きには大きな力を要する。従って、取付けやすく外れにくい押ボタン取付構造を実現することができる。もっともシャフトの溝が嵌合筒のフック部の急勾配の係合面を乗り越えるだけの力を加えてシャフトを引き抜けば、押ボタンは外れるため、押ボタンの交換や電源スイッチの修理・交換等にも対応することができる。
【００１７】
請求項２に記載された電源スイッチの押ボタン取付構造によると、押ボタンの嵌合筒の上壁及び下壁により電源スイッチのシャフトが挟持されるとともに、嵌合筒のフック部がシャフトの溝に係合されるため、押ボタンの取付けを確実に行うことができる。
【００１８】
請求項３に記載された電源スイッチの押ボタン取付構造によると、嵌合筒の上下方向の撓みを生じやすくなるため、押ボタンの取付け時に押ボタンが破損する危険性がなくなり、安全に取付けることができるようになる。
【００１９】
請求項４に記載された電源スイッチの押ボタン取付構造によると、シャフトの嵌合筒への圧入は小さな力で行える反面、シャフトの引抜きには大きな力を要する。従って、取付けやすく外れにくい押ボタン取付構造を実現することができる。もっともシャフトの溝が嵌合筒のフック部の急勾配の係合面を乗り越えるだけの力を加えてシャフトを引き抜けば、押ボタンは外れるため、押ボタンの交換や電源スイッチの修理・交換等にも対応することができる。
【考案を実施するための最良の形態】
【００２０】
以下、本考案を実施するための最良の形態についてテレビジョン受像器のキャビネット設けられる電源スイッチを例にして図面を参照して説明する。
【００２１】
図１は、本考案の一実施の形態に係る押ボタンを取付けた電源スイッチを回路基板を介してキャビネットに固定した状態を示す一部切欠き断面図である。図１に示すように、テレビジョン受像器の樹脂製のキャビネット１に形成された孔部２には、押ボタン１０の操作部１１が挿入され、この操作部１１がキャビネット１の外側に突出して配置されるようになっている。
【００２２】
押ボタン１０は、操作部１１の正面部を押して操作を行う、いわゆるプッシュ式のボタンであり、この押ボタン１０を押動することにより、電源スイッチ２０のシャフト２４が連動して進退され、テレビジョン受像器等の電源をＯＮ／ＯＦＦ操作することができるようになっている。
【００２３】
電源スイッチ２０は既製部品として市場で入手可能なものであり、電気的接点等を備えたスイッチ本体２１の前面側に突出して進退自在に設けられたスイッチング部材２２を備えている。電源スイッチ２０は、スイッチ本体２１の下部に設けられた端子（図示せず）を介して半田付けにより、キャビネット２にネジ止めなどによって固定される回路基板３０に取付けられる。以下、押ボタン１０の取付構造について図面を参照して説明する。
【００２４】
まず、スイッチング部材２２の構造について説明する。図２は、電源スイッチのスイッチング部材の一部を拡大して示す斜視図である。図２に示すように、スイッチング部材２２は、角柱状の基部２３と、基部２３の前部に突出して一体に形成された角棒状のシャフト２４とを有する硬質樹脂製の部材である。スイッチング部材２２は、スプリング等の公知の付勢手段及び公知のロック機構によってスイッチ本体２１（図１参照）に進退可能に設けられ、押動されるたびに基部２３の大部分がスイッチ本体２１内に没してシャフト２４が後退した状態（後退姿勢）と、基部２３の大部分がスイッチ本体２１から突出してシャフト２４が前進した状態（前進姿勢）と、の間で姿勢を変更するようになっている。
【００２５】
シャフト２４の周囲の２箇所には、先端から軸（進退）方向に所定の距離をおいて溝２４ａ、２４ｂが形成されている。このような溝２４ａ、２４ｂは、シャフト２４に汎用性を持たせるために電源スイッチ製造業者側で設けられたものである。従って、市場で入手される電源スイッチ２０には、シャフト２４にこのような溝２４ａ、２４ｂが初めから存在する仕様で流通していることになる。本考案は、このようなシャフト２４に設けられた既存の溝２４ａ、２４ｂを利用して押ボタン１０を確実に取付ける構造に特徴を有するものである。
【００２６】
次に、押ボタン１０の構造について説明する。図３は、押ボタンを正面側から見た斜視図であり、図４は、同押ボタンを背面側から見た斜視図であり、図５は、同押ボタンを正面側から見た切り欠き斜視図である。
【００２７】
図３に示すように、押ボタン１０は外形が円筒形であり、その円筒の側面部１１ａ及び正面部１１ｂにより操作部１１が構成されている。図４に示すように、操作部１１の側面部１１ａの背面部は開放されていて、側面部１１ａの後端部には、外側に突出するつば部１２が全周に形成されている。図１に示されるように、押ボタン１０は電源スイッチ２０のシャフト２４に取付けられた後、操作部１１がキャビネット１の外部に突出するように孔部２に挿通される。このとき、つば部１２は、孔部２の孔径より大径となるように設定されており、キャビネット１の背面の孔部２の周縁部に当接することにより押ボタン１０の抜け防止の役割を果たすものである。
【００２８】
図４に示すように、押ボタン１０の背面側中央には、シャフト２４が嵌合される角筒状の嵌合筒１３が突設されている。図５に示すように、嵌合筒１３は、先端部を除く大部分が操作部１１の中空部に収容されるように、正面部１１ｂの裏面から一体に突設されており、落下や振動、取扱い時の外力による破損から保護されている。嵌合筒１３の内部奥には、図５に示すように、シャフト２４の位置決め用の段部１３ｅが形成されている。
【００２９】
図４に示すように、嵌合筒１３の両側壁１３ｂ、１３ｃには切れ目１４、１５がそれぞれ設けられ、嵌合筒１３に上下方向に弾力性を持たせている。また、図７に示すように、嵌合筒１３の上壁１３ａ及び下壁１３ｄの内面を水平に対して勾配２〜３°の斜面に形成し、肉厚が先端に向かうに従って細くなる形状とすることにより、嵌合筒１３の上下方向の撓みを生じやすくしている。これによって、押ボタン１０の取付け時に押ボタン１０が破損する危険性がなくなり、安全に取付けることができるようになる。
【００３０】
図７に示すように、嵌合筒１３の上壁１３ａ及び下壁１３ｄの内面には、シャフト２４の溝２４ｂに係合されるフック部１６、１７が設けられている。フック部１６、１７は、シャフト２４の圧入時に溝２４ａ、２４ｂが当接する面が緩勾配を有し、シャフト２４の引抜き時に溝２４ａ、２４ｂが当接する面が急勾配を有するような曲面に形成している。このため、シャフト２４の圧入は小さな力で行える反面、シャフト２４の引抜きには大きな力を要する。従って、取付けやすく外れにくい押ボタン取付構造を実現することができる。もっとも溝２４ｂがフック部１６、１７の急勾配の係合面を乗り越えるだけの力を加えてシャフト２４を引き抜けば、押ボタン１０は外れるため、押ボタン１０の交換や電源スイッチ２０の修理・交換等にも対応することができる。
【００３１】
次に、押ボタン１０をシャフト２４に取付ける手順を説明する。図６は、シャフトに押ボタンが取付けられた状態のスイッチング部材の切り欠き斜視図であり、図７は、シャフトに押ボタンが取付けられた状態のスイッチング部材の断面図である。
【００３２】
押ボタン１０をシャフト２４に取付ける際には、図７の矢印Ｘで示す方向に、シャフト２４を押ボタン１０の嵌合筒１３に圧入するようにして根元まで挿入していく。シャフト２４の挿入の途中で、一旦押ボタン１０のフック部１６、１７がシャフト２４の先端側に位置する溝２４ａに係合される。しかし、この実施形態ではこの溝２４ａは押ボタン１０の取付けに寄与しないダミーの溝となっていてシャフト２４の先端が段部１３ｅに当接するにはまだ嵌合筒１３の中空部の奥行きに余裕がある。このため、さらにシャフト２４を嵌合筒１３内に圧入することにより、フック部１６、１７は溝２４ａを乗り越えてシャフト２４の根元側に位置する溝２４ｂに係合されることになる。このとき、シャフト２４の先端が段部１３ｅに当接して位置決めがなされる。また、シャフト２４は上下方向から弾性を有する嵌合筒１３の上壁１３ａ及び下壁１３ｄにより挟持されるため、フック部１６は溝２４ｂに強固に係合される。さらに、角棒状のシャフト２４は角筒状の嵌合筒１３に嵌合されるので、押ボタン１０が電源スイッチ２０に対して回転することないように規制される。
【００３３】
上記実施形態では、溝２４ａをダミーとしたが、逆に溝２４ａに対応する位置にフック部１６、１７を設けて溝２４ｂをダミーとしても良い。また、上記実施形態において溝２４ａにも係合されるフック部を対応する位置に設けてより強固に取付けるようにしても良い。
【産業上の利用可能性】
【００３４】
本考案は、テレビジョン受像器等の電源スイッチを備えた機器に利用することができる。
【図面の簡単な説明】
【００３５】
【図１】は、本考案の一実施の形態に係る押ボタンを取付けたスイッチを回路基板を介してキャビネットに固定した状態を示す一部切欠き断面図である。
【図２】は、電源スイッチのスイッチング部材の一部を拡大して示す斜視図である。
【図３】は、押ボタンを正面側から見た斜視図である。
【図４】は、押ボタンを背面側から見た斜視図である。
【図５】は、押ボタンを正面側から見た切り欠き斜視図である。
【図６】は、シャフトに押ボタンが取付けられた状態のスイッチング部材の切り欠き斜視図である。
【図７】は、シャフトに押ボタンが取付けられた状態のスイッチング部材の要部断面図である。
【符号の説明】
【００３６】
１    キャビネット
１０  押ボタン
１３  嵌合筒
１３ａ  上壁
１３ｂ、１３ｃ  側壁
１３ｄ  下壁
１４、１５  切れ目
１６、１７  フック部
２０  電源スイッチ
２１  スイッチ本体
２４  シャフト
２４ａ、２４ｂ  溝
【図１】
0003128817.tif 000003
【図２】
0003128817.tif 000004
【図３】
0003128817.tif 000005
【図４】
0003128817.tif 000006
【図５】
0003128817.tif 000007
【図６】
0003128817.tif 000008
【図７】
0003128817.tif 000009